(57)【要約】【課題】吸収性に一段と優れ、体液がトップシートに保水することなく、また短時間でさらっと感が得られ、かつ低コストで製造できる吸収性物品を提供することである。【解決手段】下層にセカンドシートを有する透液性のトップシートと、上層に防水フィルムを有する不透液性のバックシートと、前記トップシートと前記バックシート間に介在する吸収体とにより本体が形成された吸収性物品において、前記セカンドシートに長繊維のスパンボンド不織布を使用する。【選択図】図２
2004201939.tif 000002
【特許請求の範囲】
【請求項１】
下層にセカンドシートを有する透液性のトップシートと、上層に防水フィルムを有する不透液性のバックシートと、前記トップシートと前記バックシート間に介在する吸収体とにより本体が形成された吸収性物品において、前記セカンドシートに長繊維のスパンボンド不織布を使用したことを特徴とする吸収性物品。
【請求項２】
前記トップシートに対する前記セカンドシートの嵩密度の比が１．５以下である請求項１記載の吸収性物品。
【発明の詳細な説明】
【０００１】
【発明の属する技術分野】
本発明は、使い捨て紙おむつ、あるいは生理用ナプキン等の吸収性物品に関し、さらに詳細には、吸収性及び製造コストの面で優れた吸収性物品に関する。
【０００２】
【従来の技術】
従来の吸収性物品、例えば図３に斜視図で示すような使い捨て紙おむつ１００は、通常、透液性を有するトップシート１０１と、不透液性を有するバックシート１０２と、前記シート間に介在する吸収体１０３とが介在して本体１０４が形成されている。
【０００３】
なお、この紙おむつ１００においては、前身頃Ｆの腹部位置にフロントターゲットテープ１０５が、後身頃Ｂの腰部位置両端に止着用のファスニングテープ１０６がそれぞれ付設されている。さらに、トップシート１０１の内面両側の脚回り部には漏れ防止用のギャザー１０７が設けられており、そして本体１０４の長手方向中央部には略楕円形状の便溜部１０８が形成されている。
【０００４】
図４は、図３のＸ−Ｘ断面図で、この紙おむつ１００のさらに詳細な層構成を示したものである。図示するようにこの層構成は、表面側、すなわち着用者の身体と接する側より順に不織布等からなる透液性のトップシート１０１、同様の素材から成るセカンドシート１０９、ティッシュ１１０で被覆された吸収体１０３、ポリエチレン等から成る防水フィルム１１１、不織布等から成る不透液性のバックシート１０２となっている。
【０００５】
従来、前記トップシート１０１には、ポリプロピレン，ポリエチレン，ポリエステル等で親水性処理されている液透過性の乾式不織布が一般に用いられている。
【０００６】
また、前記セカンドシート１０９には、短繊維の熱融着繊維をエアスルー方式で結合して成る不織布等が用いられている。
【０００７】
しかし、上記従来の吸収性物品、すなわち紙おむつ１００では、吸収体１０３に体液が完全に吸収されるまでの速度が遅く、このため、トップシート１０１と吸収体１０３との間で保留された体液が、吸収体１０３からトップシート１０１へ逆戻り（ｗｅｔ  ｂａｃｋ）することがあり、着用者にさらっと感を与えないという問題があった。なお、本発明において、さらっと感とは、体液の吸収速度が速く、シートの濡れた部分が保水することなく、さらっとした肌触りになることを意味する。
【０００８】
この問題を解決するために、図４に示すように、多数の長繊維を集積させて成る長繊維不織布の表面に、針葉樹パルプ繊維等からなる紙シート１１２を積層し、高圧水柱流を施すことにより、パルプ繊維と長繊維とを絡合させて形成した不織布を前記セカンドシート１０９に用いた吸収性物品が提案されている（例えば、特許文献１参照。）。
【０００９】
【特許文献１】特開平９−５６２号公報（第５頁第２行〜第６頁第４２行）
【００１０】
【発明が解決しようとする課題】
ところが、上記従来の吸収性物品では、紙シート１１２に体液が吸収されたままで、吸収体１０３に吸収されないことが多く、逆に紙シート１１２に吸収された体液がトップシート１０１に逆戻りしてしまうことがあった。このため、着用者に不快感を与え、特に乳幼児の場合は、皮膚がかぶれる原因ともなっていた。また、このような従来の吸収性物品では、材料や工程等により製造コストがアップするという欠点もあった。
【００１１】
そこで、本発明の目的は、上述したような従来技術が有する問題点を解消し、吸収性が一段と優れ、体液がトップシートに保水することなく、また短時間でさらっと感が得られ、かつ低コストで製造できる吸収性物品を提供することである。
【００１２】
【課題を解決するための手段】
本発明の上記目的は、下層にセカンドシートを有する透液性のトップシートと、上層に防水フィルムを有する不透液性のバックシートと、前記トップシートと前記バックシート間に介在する吸収体とにより本体が形成された吸収性物品において、前記セカンドシートに長繊維のスパンボンド不織布を使用した吸収性物品を提供することにより達成される。
【００１３】
また、本発明の上記目的は、トップシートに対するセカンドシートの嵩密度の比を１．５以下にした吸収性物品を提供することにより、より効果的に達成される。
【００１４】
【発明の実施の形態】
以下、図面を参照しながら、本発明の実施形態を説明する。
図１は本発明に係る吸収性物品の一例であるおねしょ用パッド（以下、「パッド」という。）２００を示し、図２は図１の要部である便溜部２０８の層構成を示すＹ−Ｙ断面図である。なお、本パッド２００は、前述した従来の紙おむつ１００における紙シート１１２をなくし、かつセカンドシート１０９の構成を変更したもので、その他の構成は実質的に同一なものである。このため、以下、前記従来の紙おむつ１００と対応する構成部品には２００番台の対応する同一番号を付して説明する。
【００１５】
すなわち、本パッド２００は、前記紙おむつ１００と同様に、下層にセカンドシート２０９を有するトップシート２０１と、上層に防水フィルム２１１を有するバックシート２０２と、前記トップシート２０１と前記バックシート２０２間に介在するティッシュ２１０で被覆された吸収体２０３とにより本体が形成されたものである。
【００１６】
なお、本パッド２００には、トップシート２０１の長手方向両側に漏れ防止用の立体ギャザー２０７が設けられ、この中央部には略楕円形状の便溜部２０８が形成されている。
【００１７】
トップシート２０１には、体液を吸収体２０３へ透過させる透液性のシートで、肌着に近い感触を有し、きめが細かく繊維密度が高い素材が好ましい。このような透液性シートとして、例えば、織布，不織布，多孔性フィルム等が好ましく用いられる。
【００１８】
セカンドシート２０９には、トップシート２０１よりも体液の吸収速度が早く、またトップシート２０１よりも繊維密度が小さい長繊維のスパンボンド不織布を用いる。このような長繊維のスパンボンド不織布として、例えば、ナイロン，ポリエステル等が好ましく用いられる。
【００１９】
長繊維のスパンボンド不織布は、従来のエアスルー不織布よりも嵩高く、また繊維密度も大きい。従って、セカンドシート２０９を介して体液が吸収体２０３へ吸収される吸収速度も上昇し、またセカンドシート２０９自体の吸収率も向上するので、吸収体全体の吸収率が向上すると共に、ハンドリング性及び生産性も向上する。
【００２０】
また、本パッド２００では、長繊維のスパンボンド不織布を用いる一方、従来の紙シート１１２を省いているので、体液が吸収体２０３へ迅速に吸収される。このため、トップシート２０１への体液の逆戻りがなくなり、トップシート２０１での保水がなくなるので、着用者にさらっと感を与えることができる。さらに、層構成がシンプルとなるため、パッド２００自体を低コストで製造することができる。
【００２１】
以上、本発明の内容を、吸収性物品がおねしょ用パッドを例に説明したが、本発明はこのようなおねしょ用パッドに限らず、この他使い捨て紙おむつ、生理用ナプキン、あるいは失禁者用パンツ等の公知の吸収性物品についても適用できることはいうまでもない。
【００２２】
【実施例】
ここで、本発明に係る吸収性物品、すなわち前記パッド２００を構成するトップシート２０１とセカンドシート２０９の好ましい嵩密度比につき次のような実験を行った。
【００２３】
【表１】
2004201939.tif 000003
【００２４】
表１は本パッド２００におけるトップシート２０１とセカンドシート２０９の数値化された嵩密度の異なる組み合わせを５通り（実施例１〜実施例５）選んで表したものである。表１において、官能評価とは前記さらっと感、具体的には人口尿を吸収体２０３に滴下し、吸収速度を測定した後、トップシート２０１の表面に手で軽く触れて、その乾き具合を表したものである。なお判断基準は○印の「乾いている」、×印の「かなり湿っている」の２段階とした。
【００２５】
この結果、表１から明らかなように、さらっと感はトップシート２０１に対するセカンドシート２０９の嵩密度の比が１．５以下のときに得られることが判明した。
【００２６】
【発明の効果】
以上に詳述したように、本発明に係る吸収性物品によれば、セカンドシートの吸収性を向上させることができ、またセカンドシートを介して吸収体への体液の吸収速度も上昇させることができるので、トップシートに保水する体液がなくなる。従って、着用者にさらっと感を与える効果を有する。
【００２７】
さらに、セカンドシートに長繊維のスパンボンド不織布を用いたことによりハンドリング性、生産性が良くなり、吸収性物品の製造コストを低減することができる。
【図面の簡単な説明】
【図１】本発明の実施例に係るおねしょ用パッドの使用状態時における斜視図である。
【図２】図１のＹ−Ｙ断面図である。
【図３】従来の使い捨て紙おむつの使用状態時における斜視図である。
【図４】図３のＸ−Ｘ断面図である。
【符号の説明】
１００              紙おむつ
２００              おねしょ用パッド
１０１，２０１      トップシート
１０２，２０２      バックシート
１０３，２０３      吸収体
１０８，２０８      便溜部
１０９，２０９      セカンドシート
１１１，２１１      防水フィルム
１１２              紙シート
【図１】
2004201939.tif 000004
【図２】
2004201939.tif 000005
【図３】
2004201939.tif 000006
【図４】
2004201939.tif 000007